(57)【要約】【課題】  電気泳動表示装置において表示焼き付きを防止する。【解決手段】  一方の電極４ａの電圧を他方の電極４ｂの電圧に比べて高くする第１コレクト状態（図１（ｂ）参照）と、逆方向の電界を印加する第２コレクト状態（図１（ｃ）参照）とを各画素において繰り返し、電気泳動表示装置全体として画像を表示する。また、各コレクト状態に移行する前には電極間に交流電圧が印加される（図１（ａ）参照）。その結果、絶縁性液体２や帯電泳動粒子３には異なる方向の電界が絶えず作用することとなり、静止画像を表示してもＤＣ成分が発生し得ない。その結果、ＤＣ成分の残留に伴う表示焼き付きを回避できる。【選択図】      図１ 
2004287423.tif 000002
【特許請求の範囲】
【請求項１】
容器内に保持された絶縁性液体及び複数の帯電泳動粒子と、該絶縁性液体に近接するように配置された第１電極及び第２電極と、該第１電極と第２電極に電圧を印加する手段とを備えた電気泳動表示装置であって、
該電気泳動表示装置は、少なくとも該第１電極と第２電極の間に交流電圧を印加して該帯電泳動粒子を該絶縁性液体中に分散させた第１の状態と，該第１電極と第２電極の間に一方極性の直流電圧を印加して該帯電泳動粒子を該第１電極の側に引き寄せた第２の状態と、該第１電極と第２電極の間に他方極性の直流電圧を印加して該帯電泳動粒子を該第２電極の側に引き寄せた第３の状態とを表示状態として有し、該第２の状態と第３の状態が交互に形成されることを特徴とする電気泳動表示装置。
【請求項２】
同じ絶対値の直流電圧を印加して形成される第２の状態と第３の状態が、略同一の視認状態である請求項１に記載の電気泳動表示装置。
【請求項３】
第１電極と第２電極が対称に配置される請求項１に記載の電気泳動表示装置。
【請求項４】
第１電極と第２電極が非対称に配置される請求項１に記載の電気泳動表示装置。
【請求項５】
容器内に保持された絶縁性液体及び複数の帯電泳動粒子と、該絶縁性液体に近接するように配置された第１電極及び第２電極と、を有する電気泳動表示装置の駆動方法であって、
該駆動方法は、少なくとも，該第１電極と第２電極の間に交流電圧を印加して該帯電泳動粒子を該絶縁性液体中に分散させた第１の状態を形成するステップと，該第１電極と第２電極の間に一方極性の直流電圧を印加して該帯電泳動粒子を該第１電極の側に引き寄せた第２の状態を形成するステップと，第１電極と第２電極の間に他方極性の直流電圧を印加して該帯電泳動粒子を該第２電極の側に引き寄せた第３の状態を形成するステップとを有し、該第２の状態を形成するステップと第３の状態を形成するステップとが交互に行なわれることを特徴とする電気泳動表示装置の駆動方法。
【請求項６】
第１の状態を形成するステップが、第２の状態を形成するステップと第３の状態を形成するステップとに先立って行なわれる請求項５に記載の電気泳動表示装置の駆動方法。
【発明の詳細な説明】
【技術分野】
【０００１】
本発明は、帯電泳動粒子を移動させることに基づき表示を行うようにした電気泳動表示装置及びその駆動方法に関する。
【背景技術】
【０００２】
近時、電界を印加して帯電泳動粒子を移動させることにより表示を行うようにした電気泳動表示装置が、非発光型の表示デバイスとして注目されている。
【０００３】
この電気泳動表示装置は、特許文献１によれば、所定間隙を開けた状態に配置された一対の基板と、その基板間隙に注入された絶縁性液体と、該絶縁性液体に分散された多数の帯電泳動粒子と、該絶縁性液体に近接するように配置された一対の電極と、を備えている。そして、例えば、帯電泳動粒子３を広い面積に配置した場合（図１２の左側の画素参照）と帯電泳動粒子３を狭い面積に集積させた場合（右側の画素参照）との色の違いを利用して種々の表示を行うようになっている。なお、図中の符号４４ａは一方の電極を示し、符号４４ｂは他方の電極を示す。他方の電極４４ｂは画素を仕切るように配置されている。また、符号２は絶縁性液体を示す。
【０００４】
【特許文献１】米国特許第６１４４３６１号明細書
【発明の開示】
【発明が解決しようとする課題】
【０００５】
ところで、上述のような電気泳動表示装置において同じ表示を長時間行っていると（例えば、１つの画素について図１２の左側に示す表示を長時間行ったり、右側に示す表示を長時間行っていると）、画素には同じ電界が長時間作用することとなって、分散液中に存在するイオンなどにより空間電荷分布が形成され、残留ＤＣ成分として蓄積される。その結果、他の表示を行うとき、その残留ＤＣ成分によって電界が変調を受け、所望の書き込みレベルからのズレ（即ち表示焼きつき）が発生するという問題があった。なお、このような問題は“同じ表示”を長時間連続して行った場合だけでなく、断続的でも長時間行った場合にも発生する。
【０００６】
そこで、本発明は、表示焼き付きを防止する電気泳動表示装置及びその駆動方法を提供することを目的とするものである。
【課題を解決するための手段】
【０００７】
本発明は上記事情を考慮してなされたものであり、容器内に保持された絶縁性液体及び複数の帯電泳動粒子と、該絶縁性液体に近接するように配置された第１電極及び第２電極と、該第１電極と第２電極に電圧を印加する手段とを備えた電気泳動表示装置であって、該電気泳動表示装置は、少なくとも該第１電極と第２電極の間に交流電圧を印加して該帯電泳動粒子を該絶縁性液体中に分散させた第１の状態と、該第１電極と第２電極の間に一方極性の直流電圧を印加して該帯電泳動粒子を該第１電極の側に引き寄せた第２の状態と、該第１電極と第２電極の間に他方極性の直流電圧を印加して該帯電泳動粒子を該第２電極の側に引き寄せた第３の状態とを表示状態として有し、該第２の状態と第３の状態が交互に形成されることを特徴とする。
【発明の効果】
【０００８】
本発明によると、同じ表示を長時間行う場合であっても、各画素においては分散動作や第１コレクト動作や第２コレクト動作が順次行われていて、異なる方向の電界が作用し、表示焼き付きを防止できる。
【発明を実施するための最良の形態】
【０００９】
以下、図１乃至図１１を参照して、本発明の実施の形態について説明する。
【００１０】
本発明に係る電気泳動表示装置は、図１（ａ）〜（ｃ）に示すように、所定間隙を開けた状態に配置された一対の基板１ａ，１ｂと、これらの基板１ａ，１ｂの間隙に配置された絶縁性液体２及び複数の帯電泳動粒子３と、該絶縁性液体２に近接するように配置された第１電極４ａ及び第２電極４ｂと、を備え、これらの電極４ａ，４ｂに電圧を印加して前記帯電泳動粒子３を移動させることに基づき表示を行うように構成されている。
【００１１】
ところで、基板１ａ，１ｂの間隙には隔壁５を配置しても良い。また、各電極４ａ，４ｂを覆うように絶縁層６を配置しても良い。この絶縁層には、電極の近傍に凹部を設けても良い。凹部を設けた場合には、電極に収容可能な帯電泳動粒子数の増加、帯電泳動粒子３が効率的に移動できる電界形成、開口率の向上が期待できる。
【００１２】
また、この電気泳動表示装置は反射型としても良く、バックライトを使用した透過型としても良い。
【００１３】
一方、第１電極４ａ及び第２電極４ｂの配置位置は、図１に示す位置に限定されるものではない。例えば、図３に示すように、第１電極１４ａを画素の中央部に配置し、第２電極１４ｂを画素の境界部に配置しても良い。その場合、第２電極１４ｂは、図４に示すように、画素を囲むように配置すると良い。画素を囲むように第２電極１４ｂを配置した場合、各画素の第２電極１４ｂは電気的に接続されるので、画素毎に異なる電圧を印加することはできず同じ電圧を印加する必要がある。かかる場合は、第２電極１４ｂの電圧は分散動作、第１コレクト動作及び第２コレクト動作を行うに際して一定（基準電圧）とし、第１電極１４ａの電圧を該基準電圧に対して高い電圧や低い電圧とすれば良い。このような構成とした場合には、画素の境界部の電圧は、一定の基準電圧で変化しないため画素間の電界干渉を抑制できる、という利点がある。
【００１４】
なお、図４に示す第１電極１４ａは正方形状であって画素中央部に配置されているが、他の形状としても、画素中央部以外に配置しても良い。例えば、図５に示すように、第１電極２４ａをＬ字形状とし、画素中央部以外の部分に配置しても良い。なお、同図において符号２４ｂは第２電極を示す。この場合、第１電極２４ａと第２電極２４ｂの収容可能な帯電泳動粒子数を等しくすることができる。また、各画素における第１電極の個数は１つに限定されるものではない。例えば、図６に符号３４ａで示すように２つ配置しても良く、それ以上配置しても良い。各画素における第２電極の個数も同様であって、１つでも複数でも良い。
【００１５】
また、図１や図３に示す電気泳動表示装置では、第１電極４ａ，１４ａ及び第２電極４ｂ，１４ｂは同じ基板に支持されている（すなわち、水平移動型である）が、これに限られるものではなく、別々の基板に支持させても良い（すなわち、上下移動型としても良い）。例えば、図３に示す第２電極１４ｂを隔壁５と基板１ｂとの間ではなく、隔壁５と基板１ａとの間に配置しても良い。また、第１電極４ａ，１４ａを凸状形状としても良く、該電極が基板１ａに突き当たるような高さとしても良い。さらに、図１及び図３では隔壁５の一部に第２電極４ｂ，１４ｂを配置しているが、隔壁全体を第２電極としても良い。
【００１６】
それから、画素の平面形状については特に限定はなく、正方形、長方形、六角形などの多角形、円形など任意の形状が含まれる。
【００１７】
ところで、図１や図３に示す隔壁５は、基板１ａ，１ｂの法線方向に配置された板状部材であるが、もちろんこれに限られるものではなく、図７に符号１５で示すようにマイクロカプセル状（つまり、基板１ａ，１ｂの法線方向のみならず基板１ａ，１ｂの面に沿って配置された殻状形状）としても良い。この場合、マイクロカプセル状隔壁１５は透明材料で形成する必要がある。また、両基板１ａ，１ｂとマイクロカプセル状隔壁１５の空隙部に透明樹脂バインダー１７を充填すると良い。両基板によりマイクロカプセル状隔壁１５を圧迫し扁平化したのち樹脂バインダー１７を硬化させることにより扁平形状を固定することができる。
【００１８】
樹脂バインダー１５としては紫外線硬化樹脂、熱硬化樹脂などを用いるのがよい。このようなマイクロカプセル状隔壁１５の各画素における個数は、１つでなくても良く、複数配置しても良い。また、樹脂バインダー１５（マイクロカプセル状隔壁１５を固定する樹脂バインダー１５）を基板１ｂと平行な板状に固化させ、基板として用いても良い。かかる場合の板状バインダーには電極や絶縁層を形成しても良い。但し、電極は、有機導電体膜の印刷など真空処理が不要な低温プロセスで形成するとよい。
【００１９】
ところで、上述した電気泳動表示装置はアクティブマトリックス型にすると良い。具体的には、図８に示すように、マトリクス状に配置された走査ライン５０及びデータライン５１と、各画素に配置された状態でそれらのライン５０，５１及び前記第１電極４ａに接続されて走査ライン５０から入力される信号に応じて前記データライン５１と前記第１電極４ａとを導通又は非導通状態にするスイッチング素子５２と、を配置すると良い。
【００２０】
スイッチング素子５２には、薄膜トランジスタ（Ｔｈｉｎ  Ｆｉｌｍ  Ｔｒａｎｓｉｓｔｏｒ：以下、ＴＦＴと称する）などを用いると良い。このスイッチング素子５２は各画素に配置されてそのドレイン電極が第１電極４ａに接続され、該電極４ａに信号を印加するようにすると良い。スイッチング素子５２は第１電極４ａの底部に接続すると良い。スイッチング素子５２のゲート電極は走査ライン５０に接続し、ソース電極はデータライン５１に接続すると良い。また、走査ドライバ５５やデータドライバ５６を配置し、上述した走査ライン５０は走査ドライバ５５に接続し、データライン５１はデータドライバ５６に接続すると良い。走査ドライバ５５、及びデータドライバ５６は、ドライバＩＣとしてパッケージ化されたものを実装しても良いし、スイッチング素子５２と共通の製造プロセスで形成しても良い。
【００２１】
また、第１電極４ａに補助容量５３を接続すると良い。スイッチング素子５２をオンにして補助容量５３を一旦充電すれば、その後にスイッチング素子５２をオフにしても補助容量５３の蓄積電荷によって帯電泳動粒子３の移動を継続させることができる。
【００２２】
上述のアクティブマトリックス型電気泳動表示装置において、ある走査ライン５０がアクティブになると、その走査ライン５０に接続された全スイッチング素子５２はオン状態となり、このときデータドライバ５６から出力された電圧が、スイッチング素子５２を介して第１電極４ａに印加される。各画素の第２電極４ｂは少なくとも走査ライン毎に互いに接続されて同一の信号が供給される。そして、第１電極４ａ及び第２電極４ｂの間に発生する電界により帯電泳動粒子３が移動することになる。
【００２３】
本発明に係る電気泳動表示装置は、第１電極や第２電極の配置や構成を調整することにより、図２に示すような特性曲線を示すようにすると良い。すなわち、第１電極に印加する電圧が第２電極に印加する電圧より大きい場合又は小さい場合のいずれであっても、その電圧差の絶対値｜Ｖ１｜が等しければ表示される階調Ｓ１も略等しくなるようにすると良い（詳細は後述）。
【００２４】
次に、本発明に係る電気泳動表示装置の駆動方法について説明する。
【００２５】
本発明に係る電気泳動表示装置の駆動方法は、
（１）  前記第１電極４ａ及び前記第２電極４ｂの間に交流電圧を印加して前記帯電泳動粒子３を前記絶縁性液体２中に分散させる分散動作（図１（ａ）参照）
（２）  前記帯電泳動粒子３を前記第１電極４ａの側に引き付ける第１コレクト動作（図１（ｂ）参照）
（３）  前記第１電極４ａ及び前記第２電極４ｂの間に交流電圧を印加して前記帯電泳動粒子３を前記絶縁性液体２中に分散させる分散動作（図１（ａ）参照）
（４）  前記帯電泳動粒子３を前記第２電極４ｂの側に引き付ける第２コレクト動作（図１（ｃ）参照）
を、（１）（２）（３）（４）の順で実施するものである。なお、上述した第１コレクト動作は第１電極４ａと第２電極４ｂとの間に帯電泳動粒子３を第１電極４ａ側に移動させる電圧を印加することにより行い、上述した第２コレクト動作は第１電極４ａと第２電極４ｂとの間に帯電泳動粒子３を第２電極４ｂ側に移動させる電圧を印加することにより行う。つまり、第１コレクト動作と第２コレクト動作とにおいて、その電界方向は逆となる。
【００２６】
本発明に係る駆動方法の具体的態様としては下記［１］〜［３］のように第１〜第３の態様を挙げることができる。図９は、本発明に係る電気泳動表示装置の駆動方法の第１の態様を模式的に示す図であり、図１０は、本発明に係る電気泳動表示装置の駆動方法の第２の態様を模式的に示す図であり、図１１は、本発明に係る電気泳動表示装置の駆動方法の第３の態様を模式的に示す図である。いずれの図においても、（ａ）は一のフィールドにおける各画素の動作状態を示す図で、（ｂ）は次のフィールドにおける各画素の動作状態を示す図で、（ｃ）は次のフィールドにおける各画素の動作状態を示す図で、（ｄ）は次のフィールドにおける各画素の動作状態を示す図である。それらの図において、１つの升目が画素を示し、全体では８×８個＝６４個の画素を有しているものとする。また、図中の符号Ａは分散動作を行っている画素を示し、符号Ｂは第１コレクト動作を行っている画素を示し、符号Ｃは第２コレクト動作を行っている画素を示す。さらに、いずれの駆動方法においても、フィールドを図（ａ）→（ｂ）→（ｃ）→（ｄ）の順番に繰り返すのであれば、どのフィールドから始めても良い。図（ａ）（ｂ）、及び図（ｃ）（ｄ）で１つの表示が完了するので、これが１フレームとなる。
【００２７】
［１］  第１の態様
第１の態様は、前記分散動作、前記第１コレクト動作、前記分散動作及び前記第２コレクト動作を、ほぼ全ての画素に対して同じタイミングで実施するものである。すなわち、一のフィールドではほぼ全ての画素で分散動作Ａを行い（図９（ａ）参照）、次のフィールドではほぼ全ての画素で第１コレクト動作Ｂを行い（同図（ｂ）参照）、次のフィールドではほぼ全ての画素で分散動作Ａを行い（同図（ｃ）参照）、次のフィールドではほぼ全ての画素で第２コレクト動作Ｃを行う（同図（ｄ）参照）ものである。
【００２８】
なお、上述のように、図（ａ）及び（ｂ）が１つのフレームを示し、図（ｃ）及び（ｄ）が１つのフレームを示すことから、この第１の態様（駆動方法）を“電気泳動フレーム反転駆動法”とする。
【００２９】
［２］第２の態様
第２の態様は、前記分散動作、前記第１コレクト動作、前記分散動作及び前記第２コレクト動作を、同じ走査ラインに接続された画素に対しては同じタイミングで実施するものである。
【００３０】
図１０は、そのような駆動方法の一例を示すものであり、
・  前記分散動作Ａはほぼ全ての画素に対して同じタイミングで実施し（同図（ａ）及び（ｃ）参照）、
・  一の走査ラインに接続された画素において前記第１コレクト動作Ｂを実施するタイミングと、該走査ラインに隣接する他の走査ラインに接続された画素において前記第２コレクト動作Ｃを実施するタイミングとを同期させ、かつ、
・  一の走査ラインに接続された画素において前記第２コレクト動作Ｃを実施するタイミングと、該走査ラインに隣接する他の走査ラインに接続された画素において前記第１コレクト動作Ｂを実施するタイミングとを同期させる、
ものである。つまり、図示の場合には、
・  ２つ目のフィールド（図１０（ｂ））においては、奇数行の画素では第１コレクト動作Ｂを行い、偶数行の画素では第２コレクト動作Ｃを行い、
・  ４つ目のフィールド（図１０（ｄ））においては、奇数行の画素では第２コレクト動作Ｃを行い、偶数行の画素では第１コレクト動作Ｂを行う、
ようになっている。この第２の駆動方法（態様）は、図１０（ｂ）と図１０（ｄ）において画素内に形成される電界方向は走査ラインごとに反転していることから、電気泳動ライン反転駆動法と称する。
【００３１】
［３］  第３の態様
第３の態様は、
・  前記分散動作はほぼ全ての画素に対して同じタイミングで実施し、
・  一の画素において前記第１コレクト動作を実施するタイミングと、該画素に隣接する他の画素において前記第２コレクト動作を実施するタイミングとを同期させ、かつ、
・  一の画素において前記第２コレクト動作を実施するタイミングと、該画素に隣接する他の画素において前記第１コレクト動作を実施するタイミングとを同期させる、
ものである。
【００３２】
図１１は、そのような駆動方法の一例を示すものであり、互いに隣接する画素においては、（分散動作Ａは図１１（ａ）及び（ｃ）に示すように同じタイミングで行うものの）コレクト動作Ｂ，Ｃの異なるタイミングで行っている。この第３の駆動方法は、図１１（ｂ）と図１１（ｄ）において画素内に形成される電界方向は画素（ドット）ごとに反転していることから、電気泳動ドット反転駆動法と称する。
【００３３】
ところで、上述した第１コレクト動作においては前記第１電極４ａに引き付ける帯電泳動粒子３の量を制御することに基き中間調を表示すると良く、上述した第２コレクト動作においては前記第２電極４ｂに引き付ける帯電泳動粒子３の量を制御することに基き中間調を表示すると良い。中間調表示は、帯電泳動粒子３を移動させるための電圧の印加時間や、その電圧の大きさを調整し、第１電極４ａや第２電極４ｂに引き付ける帯電泳動粒子３の量を調整することにより可能となる。
【００３４】
前記第１コレクト動作を行わせるために前記第１電極と前記第２電極との間に印加する電圧と、前記第２コレクト動作を行わせるために前記第１電極と前記第２電極との間に印加する電圧とは、表示する階調が等しい場合にはそれらの電圧の絶対値を略等しくさせると良い。その点を図２に沿って詳しく説明する。
【００３５】
表示する階調が等しい場合に上述した電圧の絶対値を略等しくさせるには、図２のような特性曲線を示す電気泳動表示装置を用いれば良い。この図は、電気泳動表示装置に印加する電圧と光強度（この光強度には、透過型電気泳動表示装置の場合の透過光強度と、反射型電気泳動表示装置の場合の反射光強度とがあり、図に示すものは後者である）との関係の一例を示したものであり、横軸には電圧（前記第１電極と前記第２電極との間に印加する電圧差）を取り、縦軸にはその光強度を取っていて、特性曲線は左右対称である。また、この特性曲線は傾きが緩やかであるため、電圧を変化させて光強度を制御することができ、それによって中間調表示を可能としている。
【００３６】
例えば、第１電極４ａと第２電極４ｂとの電圧差が＋Ｖ１となるように電圧を印加すると第１コレクト動作が行われてＳ１の階調が表示され、第１電極４ａと第２電極４ｂとの電圧差が−Ｖ１となるように電圧を印加すると第２コレクト動作が行われてＳ１の階調が表示される。特性曲線が左右対称なので、電圧の絶対値｜Ｖ１｜が等しい場合には表示階調も等しくなる。
【００３７】
なお、分散動作の場合には、交流電圧（正確には、正負の振幅の等しい交流電圧）が印加されるので、第１電極と第２電極との電圧差（時間積分値）は０Ｖとなり、原点Ｏの表示を行うこととなる。
【００３８】
このような特性曲線は、画素や電極構成によって変わる。つまり、上述のような特性曲線を示すように第１電極や第２電極等を配置すれば良い。
【００３９】
仮に、絶縁性液体２を透明とし、第１電極４ａを配置した領域を白色とし、帯電泳動粒子３を黒色とした場合、上述した分散動作を行った場合には画素は黒表示をし（図１（ａ）参照）、上述した第１コレクト動作や第２コレクト動作を行った場合、
・  帯電泳動粒子３のほとんどを第１電極４ａや第２電極４ｂに引き付けた場合には白表示がなされ（図１（ｂ）（ｃ）参照）、
・  上述のように電圧印加時間や電圧の大きさにより電極への帯電泳動粒子３の集積量を調整した場合には、その集積量に応じた中間調が表示される、
こととなる。黒表示のままでよい画素に関しては第２電極４ｂと同電圧を第１電極４ａに印加してすることになる。
【００４０】
次に、本実施の形態の効果について説明する。
【００４１】
本実施の形態によれば、同じ表示を長時間行う場合であっても、各画素においては分散動作や第１コレクト動作や第２コレクト動作が順次行われていて、異なる方向の電界が作用している。例えば、分散動作の場合には、交流電圧が印加されるために画素に印加される実効電圧は平均的にゼロとなり、第１コレクト動作及び第２コレクト動作においても電界の向きが逆となって、平均的に実効電圧がゼロとなる。そのため、分散液中に存在するイオンなどのカウンターチャージの偏在を防ぎ、帯電泳動粒子の画素内壁への貼り付き、あるいは帯電泳動粒子同士の凝集といった表示の焼きつきを回避することできる。よって繰り返し安定に表示することが可能となる。
【００４２】
また、本来、電気泳動表示装置では極性があり、液晶表示素子のようなフレーム反転駆動法、ライン反転駆動法、ドット反転駆動法を実現するのは困難だったが、上述のように電気泳動表示装置をアクティブマトリックス型にして電気泳動フレーム反転駆動法、電気泳動ライン反転駆動法、電気泳動ドット反転駆動法という形で可能とし、貼り付き、凝集を無くして繰り返し安定に表示することが可能となる。しかも、表示書き換えを速く行うことが可能ならば動画表示も可能となる。一般的に電気泳動ライン反転駆動法、及び電気泳動ドット反転駆動法では、画像の表示の際にデータラインの電圧の変動がプラス、マイナスと交互に切り換わるため、補助容量の電圧変動が平均的に小さくなり、走査ライン間でのクロストークを抑制することが可能となる。さらに電気泳動ドット反転駆動法では、データライン間でのクロストークを抑制することが可能となる。
【実施例】
【００４３】
図１３は、本発明の電気泳動表示装置等を用いたペーパーディスプレイ、およびペーパーディスプレイを用いた機器システムの機能を示したブロック図である。
【００４４】
機能ブロックは、大きくは２つに分かれ、一つはペーパーディスプレイモジュール１３１、もう一つはペーパーディスプレイシステムモジュール１３２である。
【００４５】
ペーパーディスプレイモジュール１３１は、ペーパーディスプレイ素子アレイ１３３、駆動バックプレーン１３４および駆動回路（Ｘ）１３５、駆動回路（Ｙ）１３６から成り、これに加えて駆動バックプレーン１３４および駆動回路１３５，１３６に対して電源および信号を供給するパネルコントローラ（不図示）を備える場合もある。パネルコントローラはパネルインターフェースモジュール１３７がこれを兼ねる場合もある。また、温度補償制御のために、熱電対、サーミスタなどの温度検知素子（不図示）を備える場合もある。ペーパーディスプレイモジュール１３１にはディジタイザ１３８が含まれる場合がある。ディジタイザは各種方式が利用でき、例えば電磁誘導方式、抵抗膜方式、ペンに撮像素子とデータ処理機能、データ転送機能を持たせた光学読み取り方式等がある。
【００４６】
ペーパーディスプレイシステムモジュール１３２は、中央処理コントローラ１３９（一般的には、Ｍｉｃｒｏ  Ｐｒｏｃｅｓｓｏｒ  Ｕｎｉｔ：ＭＰＵが用いられる）を中心に、グラフィックコントローラ１３１０、パネル制御ブロック１３１１、入力データプロセッサ１３１２等のペーパーディスプレイを制御するための主なパネル制御機能ブロック、外部メモリ１３１７を管理するメモリインターフェイス１３１３、有線インターフェイス１３１４、および無線インターフェイス１３１５の外部通信インターフェイス等の外部データとのやり取りをつかさどる通信機能ブロック、電源管理機能ブロック１３１６等から成る。ペーパーディスプレイシステムモジュール１３２上には、各種アプリケーションが動作するためのオペレーションシステム（ＯＳ）や、アプリケーションソフトが実装されるが、ここではペーパーディスプレイ共通部分についてのみ詳細を説明するに留める。
【００４７】
本図は機能を示したブロック図であり、ハード構成としては様々なバリエーションが考えられる。
【００４８】
例えば、駆動回路（Ｘ）１３５や駆動回路（Ｙ）１３６は駆動バックプレーン１３４上にモノリシックに形成する場合もある。ディジタイザ１３８についても同様である。
【００４９】
ペーパーディスプレイモジュール１３１とペーパーディスプレイシステムモジュール１３２間のデータ送受信は有線／無線のどちらでも良い。無線の場合はペーパーディスプレイモジュール１１３に電源または発電機能、あるいは無線でのエネルギー授受機能を持つ必要が生じる。
【００５０】
また、ここではペーパーディスプレイモジュール１３１とペーパーディスプレイシステムモジュール１３２は１：１の関係で示しているがペーパーディスプレイモジュール１３１とペーパーディスプレイシステムモジュール１３２はｎ：１の関係でも良い。
【００５１】
本実施例のペーパーディスプレイは、携帯情報端末（Ｐｅｒｓｏｎａｌ  Ｄｉｇｉｔａｌ  Ａｓｓｉｓｔａｎｃｅ：ＰＤＡ）の表示部に用いることができる。また、この他、ＴａｂｌｅｔＰＣの表示部、電子ノート、電子教科書、ドキュメントビューワ、電子ブック、電子新聞等の表示部に用いることも出来る。
【図面の簡単な説明】
【００５２】
【図１】（ａ）は分散動作を行った様子を示す断面図であり、（ｂ）は第１コレクト動作を行った様子を示す断面図であり、（ｃ）は第２コレクト動作を行った様子を示す断面図。
【図２】電気泳動表示装置に印加する電圧と光強度との関係の一例を示す図。
【図３】本発明が適用される電気泳動表示装置の構造の一例を示す断面図。
【図４】本発明が適用される電気泳動表示装置の構造の一例を示す平面図。
【図５】本発明が適用される電気泳動表示装置の構造の一例を示す平面図。
【図６】本発明が適用される電気泳動表示装置の構造の一例を示す平面図。
【図７】本発明が適用される電気泳動表示装置の構造の一例を示す断面図。
【図８】アクティブマトリックス型電気泳動表示装置の構造を示す回路図。
【図９】本発明に係る電気泳動表示装置の駆動方法の第１の態様を模式的に示す図。
【図１０】本発明に係る電気泳動表示装置の駆動方法の第２の態様を模式的に示す図。
【図１１】本発明に係る電気泳動表示装置の駆動方法の第３の態様を模式的に示す図。
【図１２】従来の電気泳動表示装置の構造の一例を示す平面図。
【図１３】本発明の電気泳動表示装置を用いた機器システムの機能を示すブロック図。
【符号の説明】
【００５３】
１ａ，１ｂ  基板
２          絶縁性液体
３          帯電泳動粒子
４ａ        第１電極
４ｂ        第２電極
１４ａ      第１電極
１４ｂ      第２電極
２４ａ      第１電極
２４ｂ      第２電極
３４ａ      第１電極
３４ｂ      第２電極
５０        走査ライン
５１        データライン
５２        スイッチング素子
【図１】
2004287423.tif 000003
【図２】
2004287423.tif 000004
【図３】
2004287423.tif 000005
【図４】
2004287423.tif 000006
【図５】
2004287423.tif 000007
【図６】
2004287423.tif 000008
【図７】
2004287423.tif 000009
【図８】
2004287423.tif 000010
【図９】
2004287423.tif 000011
【図１０】
2004287423.tif 000012
【図１１】
2004287423.tif 000013
【図１２】
2004287423.tif 000014
【図１３】
2004287423.tif 000015